【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
方法であって、
無線デバイス（４０６）によって、少なくとも１つの無線リソース制御メッセージを受信することであって、前記少なくとも１つの無線リソース制御メッセージは、ハイブリッド自動反復要求（ＨＡＲＱ）プロセス識別子オフセットを示すアップリンク周期的リソース割り当て構成パラメータを含む、ことと、
前記ＨＡＲＱプロセス識別子オフセットに基づいて、現在の伝送時間間隔のためのＨＡＲＱプロセス識別子を決定することと、
前記ＨＡＲＱプロセス識別子によって識別されるＨＡＲＱプロセスと関連付けられたトランスポートブロックを伝送することと
を含む、方法。
【請求項２】
前記決定することは、アップリンクＨＡＲＱプロセスの数を法とする前記ＨＡＲＱプロセス識別子および初期値の結果の合計として、前記現在の伝送時間間隔のための前記ＨＡＲＱプロセス識別子を決定することをさらに含む、請求項１に記載の方法。
【請求項３】
前記初期値は、（前記現在の伝送時間間隔）／（アップリンク間隔）の下限に等しい、請求項２に記載の方法。
【請求項４】
前記アップリンク周期的リソース割り当て構成パラメータは、前記アップリンクＨＡＲＱプロセスの数および前記アップリンク間隔をさらに示す、請求項１〜３のいずれかに記載の方法。
【請求項５】
無線デバイス（４０６）であって、
１つ以上のプロセッサと、
命令を記憶するメモリと
を備え、
前記命令は、前記１つ以上のプロセッサによって実行されると、
少なくとも１つの無線リソース制御メッセージを受信することであって、前記少なくとも１つの無線リソース制御メッセージは、ハイブリッド自動反復要求（ＨＡＲＱ）プロセス識別子オフセットを示すアップリンク周期的リソース割り当て構成パラメータを含む、ことと、
前記ＨＡＲＱプロセス識別子オフセットに基づいて、現在の伝送時間間隔のためのＨＡＲＱプロセス識別子を決定することと、
前記ＨＡＲＱプロセス識別子によって識別されるＨＡＲＱプロセスと関連付けられたトランスポートブロックを伝送することと
を前記無線デバイス（４０６）に行わせる、無線デバイス。
【請求項６】
前記命令は、前記１つ以上のプロセッサによって実行されると、アップリンクＨＡＲＱプロセスの数を法とする前記ＨＡＲＱプロセス識別子および初期値の結果の合計として、前記現在の伝送時間間隔のための前記ＨＡＲＱプロセス識別子を決定することを前記無線デバイスにさらに行わせる、請求項５に記載の無線デバイス。
【請求項７】
前記初期値は、（前記現在の伝送時間間隔）／（アップリンク間隔）の下限に等しい、請求項６に記載の無線デバイス。
【請求項８】
前記アップリンク周期的リソース割り当て構成パラメータは、前記アップリンクＨＡＲＱプロセスの数および前記アップリンク間隔をさらに示す、請求項５〜７のいずれかに記載の無線デバイス。
【請求項９】
方法であって、
基地局（４０１）によって、少なくとも１つの無線リソース制御メッセージを伝送することであって、前記少なくとも１つの無線リソース制御メッセージは、ハイブリッド自動反復要求（ＨＡＲＱ）プロセス識別子オフセットを示すアップリンク周期的リソース割り当て構成パラメータを含む、ことと、
前記ＨＡＲＱプロセス識別子オフセットに基づいて、現在の伝送時間間隔のためのＨＡＲＱプロセス識別子を決定することと、
前記ＨＡＲＱプロセス識別子によって識別されるＨＡＲＱプロセスと関連付けられたトランスポートブロックを受信することと
を含む、方法。
【請求項１０】
前記決定することは、アップリンクＨＡＲＱプロセスの数を法とする前記ＨＡＲＱプロセス識別子および初期値の結果の合計として、前記現在の伝送時間間隔のための前記ＨＡＲＱプロセス識別子を決定することをさらに含む、請求項９に記載の方法。
【請求項１１】
前記初期値は、（前記現在の伝送時間間隔）／（アップリンク間隔）の下限に等しい、請求項１０に記載の方法。
【請求項１２】
前記アップリンク周期的リソース割り当て構成パラメータは、前記アップリンクＨＡＲＱプロセスの数および前記アップリンク間隔をさらに示す、請求項９〜１１のいずれかに記載の方法。
【請求項１３】
基地局（４０１）であって、
１つ以上のプロセッサと、
命令を記憶するメモリと
を備え、
前記命令は、前記１つ以上のプロセッサによって実行されると、
少なくとも１つの無線リソース制御メッセージを伝送することであって、前記少なくとも１つの無線リソース制御メッセージは、ハイブリッド自動反復要求（ＨＡＲＱ）プロセス識別子オフセットを示すアップリンク周期的リソース割り当て構成パラメータを含む、ことと、
前記ＨＡＲＱプロセス識別子オフセットに基づいて、現在の伝送時間間隔のためのＨＡＲＱプロセス識別子を決定することと、
前記ＨＡＲＱプロセス識別子によって識別されるＨＡＲＱプロセスと関連付けられたトランスポートブロックを受信することと
を前記基地局（４０１）に行わせる、基地局。
【請求項１４】
前記命令は、前記１つ以上のプロセッサによって実行されると、アップリンクＨＡＲＱプロセスの数を法とする前記ＨＡＲＱプロセス識別子および初期値の結果の合計として、前記現在の伝送時間間隔のための前記ＨＡＲＱプロセス識別子を決定することを前記基地局にさらに行わせる、請求項１３に記載の基地局。
【請求項１５】
前記初期値は、（前記現在の伝送時間間隔）／（アップリンク間隔）の下限に等しい、請求項１４に記載の基地局。
【手続補正２】
【補正対象書類名】明細書
【補正対象項目名】０００２
【補正方法】変更
【補正の内容】
【０００２】
本開示の複数の例示的実施形態が、キャリアアグリゲーションのオペレーションを可能にする。ここに開示する技術の複数の実施形態を、マルチキャリア通信システムの技術分野において採用することが可能である。
本発明は、例えば、以下を提供する。
（項目１）
無線デバイスによって、少なくとも１つのメッセージを受信することであって、前記少なくとも１つのメッセージが、
アップリンクセミパーシステントスケジューリング（ＳＰＳ）無線ネットワーク一時識別子（ＲＮＴＩ）と、
少なくとも１つのアップリンクＳＰＳ情報要素（ＩＥ）のシーケンスと、を含み、前記シーケンスのアップリンクＳＰＳ  ＩＥが、
アップリンクＳＰＳ間隔を含む少なくとも１つのアップリンクＳＰＳ構成パラメータ、及び
前記少なくとも１つのアップリンクＳＰＳ構成パラメータに関するＳＰＳ構成インデックスを含む、メッセージを受信することと、
前記アップリンクＳＰＳ  ＲＮＴＩに対応するダウンリンク制御情報（ＤＣＩ）を受信することであって、前記ＤＣＩが、前記少なくとも１つのアップリンクＳＰＳ  ＩＥのうちの１つの第１のＳＰＳ構成インデックスを含む、ＤＣＩを受信することと、
前記第１のＳＰＳ構成インデックスに対応する少なくとも１つの第１のアップリンクＳＰＳ構成パラメータを用いて、少なくとも１つのトランスポートブロックを送信することと、を含む、方法。
（項目２）
前記ＤＣＩが、前記少なくとも１つの第１のアップリンクＳＰＳ構成のアクティブ化を示し、
前記ＤＣＩが、少なくとも１つのリソースパラメータを更に含み、
サブフレーム内の前記少なくとも１つのトランスポートブロックの前記送信が、前記少なくとも１つのリソースパラメータを更に用い、
前記サブフレームは、前記少なくとも１つの第１のアップリンクＳＰＳ構成パラメータの第１のアップリンクＳＰＳ間隔を用いて決定される、項目１に記載の方法。
（項目３）
前記少なくとも１つのアップリンクＳＰＳ構成パラメータが、前記アップリンクＳＰＳ
ＩＥに対応する１つ以上のトラフィックタイプを示す少なくとも１つのパラメータを含む、項目１に記載の方法。
（項目４）
前記少なくとも１つのアップリンクＳＰＳ構成パラメータが、前記アップリンクＳＰＳ
ＩＥに対応する少なくとも１つの論理チャネル識別子を含む、項目１に記載の方法。
（項目５）
前記ＤＣＩが、
キャリアインジケータフィールド、
周波数ホッピングフラグ、
リソースブロック割り当て及びホッピングリソース割り当てを示す第１のフィールド、
変調及びコーディングスキーム並びに冗長バージョンを示す第２のフィールド、
１つ以上のトラフィックタイプを示す少なくとも１つのフィールド、
新しいデータインジケータフィールド、又は
送信電力制御（ＴＰＣ）フィールド、のうちの少なくとも１つを更に含む、項目１に記載の方法。
（項目６）
少なくとも１つのＲＲＣメッセージが、
サイドリンクＳＰＳ  ＲＮＴＩと、
少なくとも１つのサイドリンクＳＰＳ  ＩＥのシーケンスであって、サイドリンクＳＰＳ  ＩＥが、
少なくとも１つのサイドリンクＳＰＳ構成パラメータのインデックスを示すサイドリンクＳＰＳ構成インデックス、及び
前記少なくとも１つのサイドリンクＳＰＳ構成パラメータを含む、シーケンスと、を更に含む、項目１に記載の方法。
（項目７）
前記少なくとも１つのＲＲＣメッセージが、
第２のＳＰＳ  ＲＮＴＩ、及び
前記第２のＳＰＳ  ＲＮＴＩに対応する少なくとも１つの第２のＳＰＳ構成パラメータ、を含む、項目１に記載の方法。
（項目８）
少なくとも１つの論理チャネル、少なくとも１つのメッセージサイズ、及び少なくとも１つのトラフィック周期性を含むＳＰＳ支援情報を含むメッセージを、前記無線デバイスによって基地局に送信すること、を更に含む、項目１に記載の方法。
（項目９）
前記少なくとも１つのＳＰＳ構成パラメータが、
幾つかの構成されたハイブリッド自動反復要求（ＨＡＲＱ）プロセス、又は
少なくとも１つの送信電力パラメータ、のうちの少なくとも１つを含む、項目１に記載の方法。
（項目１０）
無線デバイスによって、少なくとも１つのメッセージを受信することであって、前記少なくとも１つのメッセージが、
サイドリンクセミパーシステントスケジューリング（ＳＰＳ）無線ネットワーク一時識別子（ＲＮＴＩ）と、
少なくとも１つのサイドリンクＳＰＳ情報要素（ＩＥ）のシーケンスと、を含み、サイドリンクＳＰＳ  ＩＥが、
サイドリンクＳＰＳ間隔を含む少なくとも１つのサイドリンクＳＰＳ構成パラメータ、及び
前記少なくとも１つのサイドリンクＳＰＳ構成パラメータに関するＳＰＳ構成インデックスを含む、メッセージを受信することと、
前記サイドリンクＳＰＳ  ＲＮＴＩに対応するダウンリンク制御情報（ＤＣＩ）を受信することであって、前記ＤＣＩが、前記少なくとも１つのサイドリンクＳＰＳ  ＩＥのうちの１つの第１のＳＰＳ構成インデックスを含む、ＤＣＩを受信することと、
前記第１のＳＰＳ構成インデックスに対応する少なくとも１つの第１のサイドリンクＳＰＳ構成パラメータを用いて、少なくとも１つのトランスポートブロックを送信することと、を含む、方法。
（項目１１）
前記ＤＣＩが、前記少なくとも１つの第１のサイドリンクＳＰＳ構成のアクティブ化を示し、
前記ＤＣＩが、少なくとも１つのリソースパラメータを更に含み、
サブフレーム内の前記少なくとも１つのトランスポートブロックの前記送信が、前記少なくとも１つのリソースパラメータを更に用い、
前記サブフレームは、前記少なくとも１つの第１のサイドリンクＳＰＳ構成パラメータの第１のサイドリンクＳＰＳ間隔を用いて決定される、項目１０に記載の方法。
（項目１２）
前記少なくとも１つのサイドリンクＳＰＳ構成パラメータが、前記サイドリンクＳＰＳ
ＩＥに対応する１つ以上のトラフィックタイプを示す少なくとも１つのパラメータを含む、項目１０に記載の方法。
（項目１３）
前記少なくとも１つのサイドリンクＳＰＳ構成パラメータが、前記サイドリンクＳＰＳ
ＩＥに対応する少なくとも１つの論理チャネル識別子を含む、項目１０に記載の方法。
（項目１４）
前記ＤＣＩが、
キャリアインジケータフィールド、
周波数ホッピングフラグ、
リソースブロック割り当て及びホッピングリソース割り当てを示す第１のフィールド、
変調及びコーディングスキーム並びに冗長バージョンを示す第２のフィールド、
１つ以上のトラフィックタイプを示す少なくとも１つのフィールド、
新しいデータインジケータフィールド、又は
送信電力制御（ＴＰＣ）フィールド、のうちの少なくとも１つを更に含む、項目１０に記載の方法。
（項目１５）
少なくとも１つのＲＲＣメッセージが、
アップリンクＳＰＳ  ＲＮＴＩと、
少なくとも１つのアップリンクＳＰＳ  ＩＥのシーケンスであって、アップリンクＳＰＳ  ＩＥが、
少なくとも１つのアップリンクＳＰＳ構成パラメータのインデックスを示すアップリンクＳＰＳ構成インデックス、及び
前記少なくとも１つのアップリンクＳＰＳ構成パラメータ、を含む、シーケンスと、を含む、項目１０に記載の方法。
（項目１６）
前記少なくとも１つのＲＲＣメッセージが、
第２のＳＰＳ  ＲＮＴＩ、及び
前記第２のＳＰＳ  ＲＮＴＩに対応する少なくとも１つの第２のＳＰＳ構成パラメータ、を含む、項目１０に記載の方法。
（項目１７）
前記サイドリンクＳＰＳ  ＲＮＴＩがＶ２Ｘ通信に用いられる、項目１０に記載の方法。
（項目１８）
前記少なくとも１つのＳＰＳ構成パラメータが、
幾つかの構成されたハイブリッド自動反復要求（ＨＡＲＱ）プロセス、又は
少なくとも１つの送信電力パラメータ、のうちの少なくとも１つを含む、項目１０に記載の方法。
（項目１９）
基地局によって、少なくとも１つのメッセージを送信することであって、前記少なくとも１つのメッセージが、
アップリンク周期的リソース割り当て無線ネットワーク一時識別子（ＲＮＴＩ）と、
少なくとも１つのアップリンク周期的リソース割り当て情報要素（ＩＥ）のシーケンスと、を含み、前記アップリンク周期的リソース割り当てＩＥが、
少なくとも１つのアップリンク周期的リソース割り当て構成パラメータ、及び
前記少なくとも１つのアップリンク周期的リソース割り当て構成パラメータに関する周期的リソース割り当て構成インデックスを含む、メッセージを送信することと、
前記アップリンク周期的リソース割り当てＲＮＴＩに対応するダウンリンク制御情報（ＤＣＩ）を送信することであって、前記ＤＣＩが、前記少なくとも１つのアップリンク周期的リソース割り当てＩＥのうちの１つの第１の周期的リソース割り当て構成インデックスを含む、ＤＣＩを送信することと、
前記第１の周期的リソース割り当て構成インデックスに対応する少なくとも１つの第１のアップリンク周期的リソース割り当て構成パラメータを用いて、少なくとも１つのトランスポートブロックを受信することと、を含む、方法。
（項目２０）
前記アップリンク周期的リソース割り当てＲＮＴＩに対応する第２のＤＣＩを送信することを更に含み、
前記第２のＤＣＩが、前記少なくとも１つのアップリンク周期的リソース割り当て構成をリリースするように構成されており、
前記第２のＤＣＩが、前記第１の周期的リソース割り当て構成インデックスを含む、項目１９に記載の方法。
（項目２１）
無線デバイスによって、少なくとも１つのメッセージを受信することであって、前記少なくとも１つのメッセージが、
アップリンクセミパーシステントスケジューリング（ＳＰＳ）無線ネットワーク一時識別子（ＲＮＴＩ）、
アップリンクＳＰＳ間隔を含む少なくとも１つのアップリンクＳＰＳ構成パラメータ、及び
前記少なくとも１つのアップリンクＳＰＳ構成パラメータに関するＳＰＳ構成インデックスを含む、メッセージを受信することと、
前記アップリンクＳＰＳ  ＲＮＴＩに対応するダウンリンク制御情報（ＤＣＩ）を受信することであって、前記ＤＣＩが、前記ＳＰＳ構成インデックスを含む、ＤＣＩを受信することと、
前記少なくとも１つのアップリンクＳＰＳ構成パラメータを用いて、少なくとも１つのトランスポートブロックを送信することと、を含む、方法。
（項目２２）
無線デバイスによって、少なくとも１つのメッセージを受信することであって、前記少なくとも１つのメッセージが、
アップリンク周期的リソース割り当て無線ネットワーク一時識別子（ＲＮＴＩ）、
アップリンク周期的リソース割り当て間隔を含む少なくとも１つのアップリンク周期的リソース割り当て構成パラメータ、及び
前記少なくとも１つのアップリンク周期的リソース割り当て構成パラメータに関する周期的リソース割り当て構成インデックスを含む、メッセージを受信することと、
前記アップリンク周期的リソース割り当てＲＮＴＩに対応するダウンリンク制御情報（ＤＣＩ）を受信することであって、前記ＤＣＩが、前記周期的リソース割り当て構成インデックスを含む、ＤＣＩを受信することと、
前記少なくとも１つのアップリンク周期的リソース割り当て構成パラメータを用いて、前記少なくとも１つのトランスポートブロックを送信することと、を含む、方法。
（項目２３）
無線デバイスによって、少なくとも１つのメッセージを受信することであって、前記少なくとも１つのメッセージが、
サイドリンクセミパーシステントスケジューリング（ＳＰＳ）無線ネットワーク一時識別子（ＲＮＴＩ）、
サイドリンクＳＰＳ間隔を含む少なくとも１つのサイドリンクＳＰＳ構成パラメータ、及び
前記少なくとも１つのサイドリンクＳＰＳ構成パラメータに関するＳＰＳ構成インデックスを含む、メッセージを受信することと、
前記サイドリンクＳＰＳ  ＲＮＴＩに対応するダウンリンク制御情報（ＤＣＩ）を受信することであって、前記ＤＣＩが、前記ＳＰＳ構成インデックスを含む、ＤＣＩを受信することと、
前記少なくとも１つのサイドリンクＳＰＳ構成パラメータを用いて、少なくとも１つのトランスポートブロックを送信することと、を含む、方法。
（項目２４）
基地局によって、少なくとも１つのメッセージを送信することであって、前記少なくとも１つのメッセージが、
アップリンクセミパーシステントスケジューリング（ＳＰＳ）無線ネットワーク一時識別子（ＲＮＴＩ）、
少なくとも１つのアップリンクＳＰＳ構成パラメータ、及び
前記少なくとも１つのアップリンクＳＰＳ構成パラメータに関するＳＰＳ構成インデックスを含む、メッセージを送信することと、
前記アップリンクＳＰＳ  ＲＮＴＩに対応するダウンリンク制御情報（ＤＣＩ）を送信することであって、前記ＤＣＩが、前記ＳＰＳ構成インデックスを含む、ＤＣＩを送信することと、
前記少なくとも１つのアップリンクＳＰＳ構成パラメータを用いて、少なくとも１つのトランスポートブロックを受信することと、を含む、方法。
（項目２５）
基地局によって、少なくとも１つのメッセージを送信することであって、前記少なくとも１つのメッセージが、
アップリンク周期的リソース割り当て無線ネットワーク一時識別子（ＲＮＴＩ）、
少なくとも１つのアップリンク周期的リソース割り当て構成パラメータ、及び
前記少なくとも１つのアップリンク周期的リソース割り当て構成パラメータに関する周期的リソース割り当て構成インデックスを含む、メッセージを送信することと、
前記アップリンク周期的リソース割り当てＲＮＴＩに対応するダウンリンク制御情報（ＤＣＩ）を送信することであって、前記ＤＣＩが、前記周期的リソース割り当て構成インデックスを含む、ＤＣＩを送信することと、
前記少なくとも１つのアップリンク周期的リソース割り当て構成パラメータを用いて、少なくとも１つのトランスポートブロックを受信することと、を含む、方法。
（項目２６）
基地局によって、少なくとも１つのメッセージを送信することであって、前記少なくとも１つのメッセージが、
サイドリンクセミパーシステントスケジューリング（ＳＰＳ）無線ネットワーク一時識別子（ＲＮＴＩ）、
サイドリンクＳＰＳ間隔を含む少なくとも１つのサイドリンクＳＰＳ構成パラメータ、及び
前記少なくとも１つのサイドリンクＳＰＳ構成パラメータに関するＳＰＳ構成インデックスを含む、メッセージを送信することと、
前記サイドリンクＳＰＳ  ＲＮＴＩに対応するダウンリンク制御情報（ＤＣＩ）を受信することと、を含み、
前記ＤＣＩが、前記ＳＰＳ構成インデックスを含み、かつ
前記少なくとも１つのアップリンクＳＰＳ構成パラメータに基づいて、少なくとも１つのトランスポートブロックの送信を開始するように構成されている、方法。
（項目２７）
無線デバイスによって、少なくとも１つのメッセージを受信することであって、前記少なくとも１つのメッセージが、
周期的リソース割り当てのためのアップリンク無線ネットワーク一時識別子（ＲＮＴＩ）と、
周期的リソース割り当てのための少なくとも１つの構成パラメータと、を含み、前記少なくとも１つの構成パラメータが、
アップリンク間隔パラメータ、及び
１つ以上のトラフィックタイプを示す少なくとも１つの第１のパラメータを含む、メッセージを受信することと、
前記アップリンクＲＮＴＩに対応するダウンリンク制御情報（ＤＣＩ）を受信することであって、前記ＤＣＩが、前記周期的リソース割り当てのアクティブ化を示す、ＤＣＩを受信することと、
前記少なくとも１つの構成パラメータを用いて、前記１つ以上のトラフィックタイプのデータを含む少なくとも１つのトランスポートブロックを送信することと、を含む、方法。
（項目２８）
少なくとも１つのパラメータが、少なくとも１つの論理チャネル識別子を含む、項目２７に記載の方法。
（項目２９）
前記アップリンクＲＮＴＩに対応する第２のＤＣＩを受信することを更に含み、前記第２のＤＣＩが、前記周期的リソース割り当てをリリースする、項目２７に記載の方法。
（項目３０）
前記少なくとも１つのメッセージが、前記少なくとも１つの構成パラメータのインデックスを示す周期的リソース割り当て構成インデックスを更に含み、かつ
前記ＤＣＩが、前記周期的リソース割り当て構成インデックスを含む、項目２７に記載の方法。
（項目３１）
前記無線デバイスのアップリンクバッファが前記１つ以上のトラフィックタイプのデータを含まないとき、前記ＤＣＩによって示されるリソース内のアップリンク送信をスキップすることを更に含む、項目２７に記載の方法。
（項目３２）
前記ＤＣＩが、少なくとも１つのリソースパラメータを含み、
サブフレーム内の前記少なくとも１つのトランスポートブロックの前記送信が、前記少なくとも１つのリソースパラメータを更に用い、
前記サブフレームが、前記アップリンク間隔パラメータを用いて決定される、項目２７に記載の方法。
（項目３３）
前記少なくとも１つの構成パラメータが、
幾つかの構成されたハイブリッド自動反復要求（ＨＡＲＱ）プロセス、又は
少なくとも１つの送信電力パラメータ、のうちの少なくとも１つを含む、項目２７に記載の方法。
（項目３４）
基地局によって、少なくとも１つのメッセージを送信することであって、前記少なくとも１つのメッセージが、
周期的リソース割り当てのためのアップリンク無線ネットワーク一時識別子（ＲＮＴＩ）と、
前記周期的リソース割り当てのための少なくとも１つの構成パラメータと、を含み、前記少なくとも１つの構成パラメータが、
アップリンク間隔パラメータ、及び
１つ以上のトラフィックタイプを示す少なくとも１つのパラメータを含む、メッセージを送信することと、
前記アップリンクＲＮＴＩに対応するダウンリンク制御情報（ＤＣＩ）を送信することであって、前記ＤＣＩが、前記周期的リソース割り当てのアクティブ化を示す、ＤＣＩを送信することと、
前記少なくとも１つの構成パラメータを用いて、前記１つ以上のトラフィックタイプのデータを含む少なくとも１つのトランスポートブロックを受信することと、を含む、方法。
（項目３５）
少なくとも１つのパラメータが、少なくとも１つの論理チャネル識別子を含む、項目３４に記載の方法。
（項目３６）
前記アップリンクＲＮＴＩに対応する少なくとも第２のＤＣＩを受信することを更に含み、前記ＤＣＩが、前記周期的リソース割り当てをリリースする、項目３４に記載の方法。
（項目３７）
前記少なくとも１つのメッセージが、前記少なくとも１つの構成パラメータのインデックスを示す周期的リソース割り当て構成インデックスを更に含み、かつ
前記ＤＣＩが、前記周期的リソース割り当て構成インデックスを含む、項目３４に記載の方法。
（項目３８）
前記無線デバイスのアップリンクバッファが前記１つ以上のトラフィックタイプのデータを含まないとき、前記ＤＣＩによって示されるリソース内のアップリンク送信をスキップすることを更に含む、項目３４に記載の方法。
（項目３９）
前記ＤＣＩが、少なくとも１つのリソースパラメータを含み、
サブフレーム内の前記少なくとも１つのトランスポートブロックの前記送信が、前記少なくとも１つのリソースパラメータを更に用い、
前記サブフレームが、前記アップリンク間隔パラメータを用いて決定される、項目３４に記載の方法。
（項目４０）
前記少なくとも１つの構成パラメータが、
幾つかの構成されたハイブリッド自動反復要求（ＨＡＲＱ）プロセス、又は
少なくとも１つの送信電力パラメータ、のうちの少なくとも１つを含む、項目３４に記載の方法。
（項目４１）
無線デバイスであって、
１つ以上のプロセッサと、
命令を格納するメモリと、を備え、前記命令は、前記１つ以上のプロセッサによって実行されると、前記無線デバイスに、
少なくとも１つのメッセージを受信することであって、前記少なくとも１つのメッセージが、
周期的リソース割り当てのためのアップリンク無線ネットワーク一時識別子（ＲＮＴＩ）、及び
前記周期的リソース割り当てのための少なくとも１つの構成パラメータであって、アップリンク間隔パラメータを含む、少なくとも１つの構成パラメータ、を含む、メッセージを受信することと、
前記アップリンクＲＮＴＩに対応するダウンリンク制御情報（ＤＣＩ）を受信することであって、前記ＤＣＩが、前記周期的リソース割り当てのアクティブ化を示し、前記ＤＣＩが、１つ以上のトラフィックタイプを示す少なくとも１つのフィールドを含む、ＤＣＩを受信することと、
前記少なくとも１つの構成パラメータを用いて、前記１つ以上のトラフィックタイプのデータを含む少なくとも１つのトランスポートブロックを送信することと、を行わせる、無線デバイス。
（項目４２）
少なくとも１つのパラメータが、少なくとも１つの論理チャネル識別子を含む、項目４１に記載の無線デバイス。
（項目４３）
前記命令が、前記１つ以上のプロセッサによって実行されたとき、前記無線デバイスに、前記アップリンクＲＮＴＩに対応する少なくとも第２のＤＣＩを更に受信させ、前記ＤＣＩが前記周期的リソース割り当てのリリースを示す、項目４１に記載の無線デバイス。
（項目４４）
前記少なくとも１つのメッセージが、前記少なくとも１つの構成パラメータに関する周期的リソース割り当て構成インデックスを更に含み、かつ
前記ＤＣＩが、前記周期的リソース割り当て構成インデックスを含む、項目４１に記載の無線デバイス。
（項目４５）
前記無線デバイスのアップリンクバッファが前記１つ以上のトラフィックタイプのデータを含まないとき、前記ＤＣＩによって示されるリソース内のアップリンク送信をスキップすることを更に含む、項目４１に記載の無線デバイス。
（項目４６）
前記ＤＣＩが、少なくとも１つのリソースパラメータを含み、かつ
サブフレーム内の前記少なくとも１つのトランスポートブロックの送信が、前記少なくとも１つのリソースパラメータを更に用い、
前記サブフレームが、前記アップリンク間隔パラメータを用いて決定される、項目４１に記載の無線デバイス。
（項目４７）
無線デバイスによって、１つ以上のセミパーシステントスケジューリング（ＳＰＳ）支援情報を含むメッセージを送信することであって、前記１つ以上のセミパーシステントスケジューリング（ＳＰＳ）支援情報が、
ＳＰＳトラフィックと関連付けられた論理チャネル識別情報、
前記ＳＰＳトラフィックと関連付けられたメッセージサイズ、及び
前記ＳＰＳトラフィックと関連付けられた周期性を含む、メッセージを送信することと、
前記ＳＰＳ支援情報に応答して、ＳＰＳ許可のアクティブ化を示すアクティブ化コマンドを受信することであって、前記ＳＰＳ許可内の１つ以上のパラメータが、前記ＳＰＳ支援情報に基づいている、コマンドを受信することと、を含む、方法。
（項目４８）
無線デバイスによって、１つ以上のセミパーシステントスケジューリング（ＳＰＳ）支援情報を含むメッセージを送信することであって、前記１つ以上のセミパーシステントスケジューリング（ＳＰＳ）支援情報が、
ＳＰＳトラフィックと関連付けられた論理チャネル識別情報、
前記ＳＰＳトラフィックと関連付けられたメッセージサイズ、及び
前記ＳＰＳトラフィックと関連付けられた周期性を含む、メッセージを送信することと、
前記ＳＰＳ支援情報に応答して、ＳＰＳの１つ以上の構成パラメータを含む無線リソース制御（ＲＲＣ）メッセージを受信することであって、前記ＳＰＳ許可内の前記１つ以上の構成パラメータが、前記ＳＰＳ支援情報に基づいている、メッセージを受信することと、を含む、方法。
（項目４９）
無線デバイスによって、少なくとも１つのメッセージを受信することであって、前記少なくとも１つのメッセージが、
第１の周期的リソース割り当てのための少なくとも１つの第１の情報要素（ＩＥ）であって、第１のアップリンク間隔パラメータを含む、第１のＩＥ、及び
第２の周期的リソース割り当てのための少なくとも１つの第２のＩＥであって、第２のアップリンク間隔パラメータを含む、第２のＩＥを含む、メッセージを受信することと、
第１の重複サブフレームを含む第１の複数のサブフレームに対する、前記第１の周期的リソース割り当てのアクティブ化を示す第１のダウンリンク制御情報（ＤＣＩ）を受信することと、
前記第１の重複サブフレームを含む第２の複数のサブフレームに対する、前記第２の周期的リソース割り当てのアクティブ化を示す第２のＤＣＩを受信することと、
前記第１の重複サブフレーム内の少なくとも１つのトランスポートブロックの送信のために選択されたＤＣＩとして、前記第１のＤＣＩと前記第２のＤＣＩのうちの１つを選択することと、
前記第１の重複サブフレームにおける送信のために前記第１のＤＣＩと前記第２のＤＣＩのうちの選択されていない方を無視することと、
前記少なくとも１つのトランスポートブロックを送信することであって、
前記選択されたＤＣＩ、及び
前記選択されたＤＣＩに対応する、前記少なくとも１つの第１のＩＥ又は前記少なくとも１つの第２のＩＥを含む、少なくとも１つのトランスポートブロックを送信することと、を含む、方法。
（項目５０）
前記第１の重複サブフレームにおける前記少なくとも１つのトランスポートブロックの送信のための前記選択されたＤＣＩとして前記第１のＤＣＩ及び前記第２のＤＣＩのうちの前記１つを前記選択することは、１つ以上の基準に基づいている、項目４９に記載の方法。
（項目５１）
前記少なくとも１つの第１のＩＥが、１つ以上の第１のトラフィックタイプを示す少なくとも１つのパラメータを含み、
前記少なくとも１つの第２のＩＥが、１つ以上の第１のトラフィックタイプを示す少なくとも１つのパラメータを含み、
前記１つ以上の基準が、前記１つ以上の第１のトラフィックタイプ及び前記１つ以上の第２のトラフィックタイプの優先度に依存する、項目５０に記載の方法。
（項目５２）
前記１つ以上の基準が、前記第１のＤＣＩ及び前記第２のＤＣＩ内の１つ以上のパラメータに依存する、項目５０に記載の方法。
（項目５３）
前記１つ以上の基準が、前記少なくとも１つの第１のＩＥ及び前記少なくとも１つの第２のＩＥ内の１つ以上のパラメータに依存する、項目５０に記載の方法。
（項目５４）
前記１つ以上の基準が、前記第１のアップリンク間隔パラメータ及び前記第２のアップリンク間隔パラメータに依存する、項目５０に記載の方法。
（項目５５）
前記１つ以上の基準が、前記第１のＤＣＩと関連付けられた第１の無線リソース割り当て、及び前記第２のＤＣＩと関連付けられた第２の無線リソース割り当てに依存する、項目５０に記載の方法。
（項目５６）
無線デバイスによって、１つ以上のメッセージを受信することであって、前記１つ以上のメッセージが、
第１のセミパーシステントスケジューリング（ＳＰＳ）のための第１の構成パラメータ、
第２のＳＰＳに対する第２の構成パラメータ、及び
前記第１のＳＰＳと前記第２のＳＰＳの間で共有される最大数のアップリンクハイブリッド自動反復要求（ＨＡＲＱ）プロセスを含む、メッセージを受信することと、
前記第１のＳＰＳに対する第１のリソース割り当てを示す第１のダウンリンク制御情報（ＤＣＩ）を受信することと、
前記第２のＳＰＳに対する第２のリソース割り当てを示す第２のＤＣＩを受信することと、
第１のＨＡＲＱプロセス識別子と関連付けられた第１のトランスポートブロック（ＴＢ）を、前記第１のリソース割り当てを用いて送信することと、
第２のＨＡＲＱプロセス識別子と関連付けられた第２のＴＢを、前記第２のリソース割り当てを用いて送信することであって、前記第２のＳＰＳの前記第２のＨＡＲＱプロセス識別子が、少なくとも前記第１のＳＰＳの前記第１のＨＡＲＱプロセス識別子に基づいて決定される、第２のＴＢを送信することと、を含む、方法。
（項目５７）
前記第１の構成パラメータ及び前記第２の構成パラメータが、最大数のアップリンクＨＡＲＱプロセスを含む、項目５６に記載の方法。
（項目５８）
前記第１の構成パラメータが第１の間隔値を含み、前記第２の構成パラメータが第２の間隔値を含む、項目５６に記載の方法。
（項目５９）
前記１つ以上のメッセージが、前記第１のＳＰＳと前記第２のＳＰＳの間で共有される第３の構成パラメータを更に含む、項目５６に記載の方法。
（項目６０）
前記第２のＨＡＲＱプロセス識別子が、（前記第１のＨＡＲＱプロセス識別子に第１の数を加えた）モジュロ（アップリンクＨＡＲＱプロセスの最大数）である、項目５６に記載の方法。
（項目６１）
前記第２のＴＢが前記第１のＴＢの次のＳＰＳ  ＴＢであることに応答して、前記第１の数が１である、項目６０に記載の方法。
（項目６２）
前記無線デバイスが前記第１のＴＢを送信していないことに応答して、前記第１の数がゼロである、項目５６に記載の方法。
（項目６３）
前記１つ以上のメッセージが、少なくとも１つのオフセット値を更に含む、項目５６に記載の方法。
（項目６４）
第１のセミパーシステントスケジューリング（ＳＰＳ）のための第１の構成パラメータ、及び第２のＳＰＳのための第２の構成パラメータを含む、１つ以上のメッセージを、無線デバイスによって受信することと、
前記第１のＳＰＳに対する第１のリソース割り当てを示す第１のダウンリンク制御情報（ＤＣＩ）を受信することと、
前記第２のＳＰＳに対する第２のリソース割り当てを示す第２のＤＣＩを受信することと、
少なくとも第１のオフセット値に基づいて、第１のハイブリッド自動反復要求（ＨＡＲＱ）プロセス識別子を決定することと、
前記第１のＨＡＲＱプロセス識別子と関連付けられた前記第１のＳＰＳの第１のトランスポートブロック（ＴＢ）を、前記第１のリソース割り当てを用いて送信することと、
少なくとも第２のオフセット値に基づいて第２のＨＡＲＱプロセス識別子を決定することであって、前記第２のオフセット値が前記第１のオフセット値とは異なる、第２のＨＡＲＱプロセス識別子を決定することと、
前記第２のＨＡＲＱプロセス識別子と関連付けられた前記第２のＳＰＳの前記第２のＴＢを、第２のリソース割り当てを用いて送信することと、を含む、方法。
（項目６５）
前記第１の構成パラメータが前記第１のオフセット値を示し、前記第２の構成パラメータが前記第２のオフセット値を示す、項目６４に記載の方法。
（項目６６）
前記第１のＤＣＩが前記第１のオフセット値を示し、前記第２のＤＣＩが前記第２のオフセット値を示す、項目６４に記載の方法。
（項目６７）
前記第１の１つ以上のメッセージが、前記第１のオフセット値及び前記第２のオフセット値を含む複数のオフセット値を含み、前記第１のＤＣＩが、前記第１のオフセット値に対する第１のインデックスを含み、前記第２のＤＣＩが、前記第２のオフセット値に対する第２のインデックスを含む、項目６４に記載の方法。
（項目６８）
前記第１のオフセット値及び前記第２のオフセット値が、少なくとも、前記第１のＳＰＳと関連付けられた第１のシーケンス識別子、及び前記第２のＳＰＳと関連付けられた第２のシーケンス識別子に基づいて取得される、項目６４に記載の方法。
（項目６９）
前記第２オフセット値が、前記第１のオフセット値に、前記第１の構成パラメータのうちの第１のパラメータを加えたものである、項目６８に記載の方法。
（項目７０）
前記１つ以上のメッセージが、前記第１のＳＰＳシーケンス識別子及び前記第２のＳＰＳシーケンス識別子を含む、項目６８に記載の方法。
（項目７１）
前記第１のシーケンス識別子及び前記第２のシーケンス識別子が、少なくとも前記第１の構成パラメータ及び前記第２の構成パラメータに基づいて取得される、項目６８に記載の方法。
（項目７２）
前記第１のオフセット値がゼロである、項目６４に記載の方法。
（項目７３）
前記第１の構成パラメータが第１の間隔値を含み、前記第２の構成パラメータが第２の間隔値を含む、項目６４に記載の方法。
（項目７４）
前記第１の構成パラメータが第１の数のアップリンクＳＰＳプロセスを含み、前記第２の構成パラメータが第２の数のアップリンクＳＰＳプロセスを含む、項目６４に記載の方法。
（項目７５）
前記１つ以上のメッセージが、前記第１のＳＰＳと前記第２のＳＰＳの間で共有される第３の構成パラメータを更に含む、項目６４に記載の方法。
（項目７６）
無線デバイスによって、１つ以上のメッセージを受信することであって、前記１つ以上のメッセージが、
第１の複数のハイブリッド自動反復要求（ＨＡＲＱ）識別子を含む第１のセミパーシステントスケジューリング（ＳＰＳ）のための第１の構成パラメータ、及び
第２の複数のＨＡＲＱ識別子を含む第２のＳＰＳのための第２の構成パラメータ、を含むメッセージを受信することと、
前記第１のＳＰＳに対する第１のリソース割り当てを含む第１のダウンリンク制御情報（ＤＣＩ）を受信することと、
少なくとも前記第１の複数のＨＡＲＱプロセス識別子及び前記第１のリソース割り当てに基づいて、第１のＨＡＲＱプロセス識別子を決定することと、
前記第１のＨＡＲＱプロセス識別子と関連付けられた前記第１のＳＰＳの第１のトランスポートブロック（ＴＢ）を送信することと、
少なくとも前記第２の複数のＨＡＲＱプロセス識別子及び前記第２のリソース割り当てに基づいて、第２のＨＡＲＱプロセス識別子を決定することと、
前記第２のＨＡＲＱプロセス識別子と関連付けられた前記第２のＳＰＳの第２のＴＢを送信することと、を含む、方法。